(57)【要約】【課題】触覚だけで位置の認識がし易く、操作性の良い操作部を有する出力装置を提供する。【解決手段】（ａ）に示すように、ヘッドホーン１の面には、操作部材２（この場合十字キー）が設けられているが、その周りに、ガイド部材３が設けられている。（ｂ）、（ｃ）に示すように、ガイド部材３の表面のうち一番高い部分は、ヘッドホーン１の面より盛り上がっており、操作部材２よりも高くされている。よって、装着者が手で操作部材２の位置を探るとき、手がまずガイド部材３に接触し、直接、操作部材２に触れることが少なくなる。操作者は、まず、ガイド部材３の位置を確認し、それを頼りに操作部材２の位置を知って、操作部材２を操作する。また、ガイド部材３の表面には、中央部に行くに従って低くなるように傾斜がついているので、ガイド部材３をガイドとして操作部材２に接触するときに操作性が良くなる。【選択図】  図２
2007329640.tif 000002
【特許請求の範囲】
【請求項１】
頭部に装着して映像又は音声の少なくとも一方を出力する出力装置であって、当該出力装置を頭部に固定する部分に、当該出力装置又は当該出力装置と接続されて動作する外部装置の少なくともいずれかを操作する操作部材を有し、当該操作部材の周囲にガイド部を有することを特徴とする出力装置。
【請求項２】
請求項１に記載の出力装置であって、前記ガイド部の頂点の高さは、前記操作部材よりも高く設定され、前記ガイド部の頂点から前記操作部材に向かって斜面が構成されていることを特徴とする出力装置。
【請求項３】
請求項１又は請求項２に記載の出力装置であって、前記操作部材は複数の操作部品から構成され、前記操作部品のうち中央に配置された部品の高さが低く、周辺に配置されている部品の高さが高くされていることを特徴とする出力装置。
【請求項４】
請求項１から請求項３のうちいずれか１項に記載の出力装置であって、前記ガイド部は回転部材からなり、回転中心に向かって高さが低くなるように構成されていることを特徴とする出力装置。
【請求項５】
頭部に装着して映像又は音声の少なくとも一方を出力する出力装置であって、当該出力装置を頭部に固定する部分に、当該出力装置又は当該出力装置と接続されて動作する外部装置の少なくともいずれかを操作する操作部材を有し、当該操作部材は少なくとも回転部材を有し、前記回転部材の高さは回転中心に向かって低くなるように構成されていることを特徴とする出力装置。
【請求項６】
請求項５に記載の出力装置であって、前記回転部材を取り囲むようにガイド部を有し、
当該ガイド部の頂点の高さは、前記回転部材よりも高く設定され、前記ガイド部の頂点から該回転部材に向かって斜面が構成されていることを特徴とする出力装置。
【請求項７】
請求項４から請求項６のうちいずれか１項に記載の出力装置であって、前記回転部材を押すことにより、前記回転部材が傾動し、その下に設けられたスイッチを押圧可能とされていることを特徴とする出力装置。
【請求項８】
請求項４から請求項７のうちいずれか１項に記載の出力装置であって、当該出力装置を頭部に固定する部分に、人間の手が触ることにより知覚でき、前記固定する部分の方向を示す方向指示部材が設けられていることを特徴とする出力装置。
【発明の詳細な説明】
【技術分野】
【０００１】
本発明はヘッドマウントディスプレイ、ヘッドホーン等の出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。ヘッドマウントディスプレイは、映像を表示しない場合には、単なるヘッドホーンとして使用することができる。
【特許文献１】ＷＯ２００４／０６１５１９Ａ１公報
【特許文献２】特開２００４−２３３７７６号公報
【発明の開示】
【発明が解決しようとする課題】
【０００４】
ヘッドホーンやヘッドマウントディスプレイは頭部に装着して使用するため、それらにスイッチなどを配置するとユーザがスイッチの位置を視認できず、手探りでスイッチを探す必要があった。特開２００４−２３３７７６号公報（特許文献２）では、ヘッドマウントディスプレイの画面に、接触したボタンの映像を表示する機能を有しているが、必ず画面が必要なこと、また触っているキーをユーザに知らせるためには接触センサなどを使用する必要があり、コストがかかるという問題があった。
【０００５】
本発明はこのような事情に鑑みてなされたもので、触覚だけで位置の認識がし易く、操作性の良い操作部を有する出力装置を提供することを課題とする。
【課題を解決するための手段】
【０００６】
前記課題を達成するための第１の手段は、頭部に装着して映像又は音声の少なくとも一方を出力する出力装置であって、当該出力装置を頭部に固定する部分に、当該出力装置又は当該出力装置と接続されて動作する外部装置の少なくともいずれかを操作する操作部材を有し、当該操作部材の周囲にガイド部を有することを特徴とする出力装置である。
【０００７】
本手段においては、操作部材の周囲にガイド部を有するので、装着者がガイド部を手探りで認識することにより、その中に囲まれている操作部材の位置を認識することができる。
【０００８】
前記課題を解決するための第２の手段は、前記第１の手段であって、前記ガイド部の頂点の高さは、前記操作部材よりも高く設定され、前記ガイド部の頂点から前記操作部材に向かって斜面が構成されていることを特徴とするものである。
【０００９】
本手段においては、ガイド部の高さが、操作部材よりも高く設定されているので、装着者は、操作部材よりも早くガイド部に接触しやすく、直接操作部材に触れることが少なくなる。又、ガイド部は、ガイド部の頂点から前記操作部材に向かって斜面が構成されているので、ガイド部をガイドとして、自然に操作部材に接触することが可能となる。
【００１０】
前記課題を解決するための第３の手段は、前記第１の手段又は第２の手段であって、前記操作部材は複数の操作部品から構成され、前記操作部品のうち中央に配置された部品の高さが低く、周辺に配置されている部品の高さが高くされていることを特徴とするものである。
【００１１】
本手段においては、中央に配置された部品の高さが低く、周辺に配置されている部品の高さが高くされているので、操作部材の操作がし易い。
【００１２】
前記課題を解決するための第４の手段は、前記第１の手段から第３の手段のいずれかであって、前記ガイド部は回転部材からなり、回転中心に向かって高さが低くなるように構成されていることを特徴とするものである。
【００１３】
本手段においては、ガイド部そのものが回転部材からなっているので、その回転量を検知して入力の１つとして使用することができる。又、回転中心に向かって高さが低くなるように構成されているので、回転部材の操作がし易い。
【００１４】
前記課題を解決するための第５の手段は、頭部に装着して映像又は音声の少なくとも一方を出力する出力装置であって、当該出力装置を頭部に固定する部分に、当該出力装置又は当該出力装置と接続されて動作する外部装置の少なくともいずれかを操作する操作部材を有し、当該操作部材は少なくとも回転部材を有し、前記回転部材の高さは回転中心に向かって低くなるように構成されていることを特徴とする出力装置である。
【００１５】
本手段においては、回転部材の回転量を検知して入力の１つとして使用することができる。又、回転中心に向かって高さが低くなるように構成されているので、回転部材の操作がし易い。
【００１６】
前記課題を解決するための第６の手段は、前記第５の手段であって、前記回転部材を取り囲むようにガイド部を有し、当該ガイド部の頂点の高さは、前記回転部材よりも高く設定され、前記ガイド部の頂点から該回転部材に向かって斜面が構成されていることを特徴とするものである。
【００１７】
本手段においては、回転部材の周囲にガイド部を有するので、装着者がガイド部を手探りで認識することにより、その中に囲まれている回転部材の位置を認識することができる。又、ガイド部の頂点から該回転部材に向かって斜面が構成されているので、ガイド部をガイドとして、自然に回転部材に接触することが可能となる。
【００１８】
前記課題を解決するための第７の手段は、前記第４の手段から第６の手段のいずれかであって、前記回転部材を押すことにより、前記回転部材が傾動し、その下に設けられたスイッチを押圧可能とされていることを特徴とするものである。
【００１９】
本手段においては、回転部材が、押圧により斜めに傾動して、その下に設けられたスイッチを押圧可能とされているので、回転部材を回転量の入力手段として使用すると共に、押しボタンスイッチとしても使用することができる。
【００２０】
前記課題を解決するための第８の手段は、前記第４の手段から第７の手段のいずれかであって、当該出力装置を頭部に固定する部分に、人間の手が触ることにより知覚でき、前記固定する部分の方向を示す方向指示部材が設けられていることを特徴とするものである。
【００２１】
本手段においては、人間の手が触ることにより知覚でき、前記固定する部分の方向を示す方向指示部材が設けられているので、回転部材の基準方向を触覚により知ることができる。
【発明の効果】
【００２２】
本発明によれば、触覚だけで位置の認識がし易く、操作性の良い操作部を有する出力装置を提供することができる。
【発明を実施するための最良の形態】
【００２３】
以下、本発明の実施の形態の例を、図を用いて説明する。図１は、本発明の実施の形態であるヘッドマウントディスプレイを示す概要図である。２つのヘッドホーン１１、１２は、連結部１３によって連結されている。そして、ヘッドホーン１２には、支持アーム１４が取り付けられ、支持アーム１４の先端部には、人間の目に画像を表示する表示部１５が取り付けられている。
【００２４】
このヘッドマウントディスプレイを、頭部に挿着するときは、ヘッドホーン１１、１２を、両耳を挟むようにして挿着し、固定する。すなわち、ヘッドホーン１１、１２が固定部（出力装置を当分固定する部分）となり、連結部１３は弾力性を有し、この弾力によりヘッドマウントディスプレイが固定される。
【００２５】
ヘッドホーン１１には、ヘッドマウントディスプレイの作動を操作する操作部材１６が設けられている。この操作部材１６は、ヘッドホーン１１の上側に位置する方が、自然に指がかかり操作しやすくなる。なお、操作部材１６がヘッドマウントディスプレイに接続した外部装置を操作するようにしてもよい。
【００２６】
図２は、操作部材とガイド部材の例を示す図である。（ａ）は平面図、（ｂ）は（ａ）におけるＡ−Ａ断面の表面を示す図、（ｃ）は（ａ）におけるＢ−Ｂ断面の表面を示す図である。図２（ａ）に示すように、ヘッドホーン１の面には、操作部材２（この場合十字キー）が設けられているが、その周りに、ガイド部材３が設けられている。
【００２７】
図２（ｂ）、（ｃ）に示すように、ガイド部材３の表面のうち一番高い部分は、ヘッドホーン１の面より盛り上がっており、操作部材２よりも高くされている。よって、装着者が手で操作部材２の位置を探るとき、手がまずガイド部材３に接触し、直接、操作部材２に触れることが少なくなる。操作者は、まず、ガイド部材３の位置を確認し、それを頼りに操作部材２の位置を知って、操作部材２を操作する。また、ガイド部材３の表面には、中央部に行くに従って低くなるように傾斜がついているので、ガイド部材３をガイドとして操作部材２に接触するときに操作性が良くなる。
【００２８】
図３は、操作部材とガイド部材の例を示す図である。（ａ）は平面図、（ｂ）、（ｃ）は（ａ）におけるＡ−Ａ断面の表面を示す図、（ｄ）は平面図、（ｅ）は、（ｄ）におけるＢ−Ｂ断面の表面を示す図である。
【００２９】
図３（ａ）においては、５つの操作部材２があるが、これらの位置関係は、図３（ｂ）に示されるように、周辺部で高く、中央部で低くなっている。よって、操作者が指で操作部材２を操作するときに操作がし易い。ガイド部材３が最高部で操作部材２の位置より高く、かつ、中央部に行くに従って低くなるような傾斜が設けられている点は、図２に示したものと同じである。図３（ｃ）は、図３（ｂ）に示したものと、基本的には同じであるが、操作部材２自身が、中央部に行くに従って低くなっている点が異なっている。このようにすることにより、操作部材２を指で操作するときに操作がし易くなる。
【００３０】
図３（ｄ）は、操作部材２が十字キーである場合を示しているが、この場合に、十字キーの表面が、図３（ｅ）に示すように、中央に行くほど低くなっている。よって、十字キーを指で操作するときに操作がし易くなる。
【００３１】
図４は、操作部材とガイド部材の例を示す図である。（ａ）は平面図、（ｂ）は（ａ）におけるＡ−Ａ断面の表面を示す図、（ｃ）は平面図、（ｄ）は、（ｃ）におけるＢ−Ｂ断面の表面を示す図である。
【００３２】
図４（ａ）においては、ガイド部材３が回転部材となっており、ガイド部材としての役割を果たすと共に、その回転位置を検知することにより、入力部材とされている。この場合も、図４（ｂ）に示すように、ガイド部材３が最高部で操作部材２の位置より高く、かつ、中央部に行くに従って低くなるような傾斜が設けられている。又、操作部材２も周辺部の方が中央部よりも高さが高くされている。
【００３３】
図４（ｃ）は、ガイド部材３が無く、ヘッドホーン１の表面に操作部材２のみが設けられ、操作部材２が回転部材となっている例である。この場合も、図４（ｄ）に示すように、操作部材２の周辺部の方が中央部よりも高さが高くされているので、操作部材２の操作がし易い。
【００３４】
図５は、操作部材の例を示す図である。（ａ）は平面図、（ｂ）は（ａ）におけるＡ−Ａ断面図である。図５（ａ）に示すように、ヘッドホーン１の表面に操作部材２が設けられているが、操作部材２は、回転部材２ａと押しボタンスイッチ２ｂに分かれている。図５（ｂ）に示すように、押しボタンスイッチ２ｂの下にはマイクロスイッチ４ｂがあり、押しボタンスイッチ２ｂを押すことによりオンとなる。
【００３５】
又、回転部材２ａも、それを表面から押すことにより傾動が可能であり、傾動した場合に、図５（ｂ）に示されるようにその下にあるマイクロスイッチ４ａを押してオンとする。このようにすることにより、回転部材２ａに回転角度の入力と、マイクロスイッチ４ａによる入力との２つの入力機能を持たせることができる。
【００３６】
又、図５（ａ）に示されるように、ヘッドホーン１の表面には、方向指示部材５が設けられている。よって、装着者は、方向指示部材５の位置を触覚で知ることにより、操作部材２の基準位置方向を知ることができる。
【図面の簡単な説明】
【００３７】
【図１】本発明の実施の形態であるヘッドマウントディスプレイを示す概要図である。
【図２】操作部材とガイド部材の例を示す図である。
【図３】操作部材とガイド部材の例を示す図である。
【図４】操作部材とガイド部材の例を示す図である。
【図５】操作部材の例を示す図である。
【符号の説明】
【００３８】
１…ヘッドホーン、２…操作部材、２ａ…回転部材、２ｂ…押しボタンスイッチ、３…ガイド部材、４ａ…マイクロスイッチ、４ｂ…マイクロスイッチ、５…方向指示部材、１１…ヘッドホーン、１２…ヘッドホーン、１３…連結部、１４…支持アーム、１５…表示部
【図１】
2007329640.tif 000003
【図２】
2007329640.tif 000004
【図３】
2007329640.tif 000005
【図４】
2007329640.tif 000006
【図５】
2007329640.tif 000007